(57)【要約】【課題】広角、高倍率を有するズームレンズにおいて、小型化軽量化、高性能化を両立し、且つ至近距離における変倍比低下を抑制したズームレンズ及びそれを有する撮像装置を提供することである。【解決手段】変倍中固定の正の屈折力の第１レンズ群、変倍に際し可動で負の屈折力の第２レンズ群、変倍に際し可動で負の屈折力の第３レンズ群、変倍中固定で正の屈折力の第４レンズ群から構成されるズームレンズにおいて、第２レンズ群、第３レンズ群が物体距離無限遠から至近端にかけて繰り出すことによりフォーカシングを行い、各条件式を満足する。【選択図】図３
2016024340.tif 000002
【特許請求の範囲】
【請求項１】
物体側から順に、変倍中固定の正の屈折力の第１レンズ群、変倍に際し可動で負の屈折力の第２レンズ群、変倍に際し可動で負の屈折力の第３レンズ群、変倍中固定で正の屈折力の第４レンズ群から構成されるズームレンズにおいて、
前記第２レンズ群、前記第３レンズ群が物体距離無限遠から至近端にかけて繰り出すことによりフォーカシングを行い、前記第２レンズ群及び前記第３レンズ群の望遠端、至近端における繰り出し量をそれぞれｄｘ２、ｄｘ３とし、前記第２レンズ群の焦点距離をｆ２とするとき、
０．０８＜｜ｄｘ２／ｆ２｜＜０．７０
−１．５０＜ｄｘ２／ｄｘ３＜−０．０８
であることを特徴とするズームレンズ。
【請求項２】
前記第１レンズ群の焦点距離をｆ１、前記第２レンズ群の焦点距離をｆ２、前記第３レンズ群の焦点距離をｆ３とするとき、
３．０＜|ｆ１／ｆ２|＜６．０  
０．５＜|ｆ１／ｆ３|＜２．８  
であることを特徴とする請求項１に記載のズームレンズ。
【請求項３】
前記第１レンズ群の後側主点位置をＯｋ１‘、前記第１レンズ群の全長をＤ１とするとき、
０．１＜Ｏｋ１‘／Ｄ１＜０．３
であることを特徴とする請求項１又は請求項２に記載のズームレンズ。
【請求項４】
請求項１乃至請求項３の何れか一項に記載のズームレンズと、該ズームレンズによって形成した像を受光する固体撮像素子とを有していることを特徴とする撮像装置。
【請求項５】
広角端焦点距離をｆｗ、撮像素子の有効径をＩＳとするとき、
０．７＜Ｄ１×ｆｗ／（ｆ１×ＩＳ）＜１．４
であることを特徴とする請求項４に記載の撮像装置。
【発明の詳細な説明】
【技術分野】
【０００１】
本発明は、ズームレンズ及びそれを有する撮像装置に関する。特に、ズームレンズとしては、テレビカメラやビデオカメラ及び写真用カメラ、デジタルカメラに好適なズームレンズに関し、広角（例えば半画角３５度〜４５度程度）、高倍率（例えば２０〜４０倍程度）、小型軽量且つ高性能なズームレンズに関するものである。
【背景技術】
【０００２】
従来のテレビカメラ用の所謂４群ズームレンズにおいて、広角、高倍率且つ高性能を達成するための構成として、例えば特許文献１では、第１レンズ群を物体側から順に負レンズ群Ｇ１１、第１の正レンズ群Ｇ１２、第２の正レンズ群Ｇ１３に分割し、第１の正レンズ群Ｇ１２を光軸上で移動することにより、フォーカシングを行うインナーフォーカス式のズームレンズが提案されている（特許文献１）。
【０００３】
また、近年において第１レンズ群以外でフォーカシングを行う所謂リヤフォーカス方式のズームレンズが種々提案されている（特許文献２、３）。特許文献２では、正の屈折力の第１レンズ群、変倍用に移動の負の屈折力の第２レンズ群、変倍用の負の屈折力の第３レンズ群、変倍に伴って変動する像面を補正するための正の屈折力を有する第４レンズ群、結像用の正の屈折力を有する第５レンズ群において、第４レンズ群でフォーカシングを行う方式が提案されている。
【０００４】
特許文献３では、正の屈折力の第１レンズ群、変倍用に移動の負の屈折力の第２レンズ群、負の屈折力の第３レンズ群、変倍に伴って変動する像面を補正するための正の屈折力を有する第４レンズ群、結像用の正の屈折力の第５レンズ群から構成され、第２レンズ群と第４レンズ群でフォーカシングを行う方式が提案されている。
【先行技術文献】
【特許文献】
【０００５】
【特許文献１】特開２００５−２２７４９４号公報
【特許文献２】特開２０１１−１０７６９３号公報
【特許文献３】特開平０９−１５４９５号公報
【発明の概要】
【発明が解決しようとする課題】
【０００６】
特許文献１においては第１レンズ群の枚数が１２枚と多く、小型軽量化に課題があった。特許文献２、３においては、第１レンズ群がフォーカシングにおいて固定であるため、第１レンズ群の構成が簡略化でき、小型軽量化が可能となるが、第４レンズ群でフォーカシングを行う場合、望遠側、至近側において変倍比が低下してしまう課題があった。
【０００７】
特許文献３においては、至近距離における変倍比が物体距離無限遠における変倍比と同一となるように第４レンズ群の繰り出しに連動して第２レンズ群を像側に繰り出しているが、至近距離でのフォーカシングによる収差変動が増大するという課題があった。
【０００８】
そこで、本発明の目的は、４群ズームレンズにおいて、第１レンズ群がフォーカシングにおいて固定であり、第２レンズ群、第３レンズ群でフォーカシングを行い、第２レンズ群、第３レンズ群の繰り出し量を規定することで、第１レンズ群の枚数が６〜８枚と少なく、広角、高倍率小型軽量、高性能且つ至近距離における変倍比の低下が少ないズームレンズ及びそれを有する撮像装置を提供することである。
【課題を解決するための手段】
【０００９】
上記目的を達成するために、本発明の構成は、物体側から順に、変倍中固定の正の屈折力の第１レンズ群、変倍に際し可動で負の屈折力の第２レンズ群、変倍に際し可動で負の屈折力の第３レンズ群、変倍中固定で正の屈折力の第４レンズ群から構成されるズームレンズにおいて、
前記第２レンズ群、前記第３レンズ群が物体距離無限遠から至近端にかけて繰り出すことによりフォーカシングを行い、前記第２レンズ群及び前記第３レンズ群の望遠端、至近端における繰り出し量をそれぞれｄｘ２、ｄｘ３とし、前記第２レンズ群の焦点距離をｆ２とするとき、
０．０８＜｜ｄｘ２／ｆ２｜＜０．７０
−１．５０＜ｄｘ２／ｄｘ３＜−０．０８
であることを特徴とする。
【００１０】
本発明の更なる目的又はその他の特徴は、以下、添付の図面を参照して説明される好ましい実施例等によって明らかにされるであろう。
【発明の効果】
【００１１】
本発明によれば、４群ズームレンズにおいて、第１レンズ群がフォーカシングにおいて固定であり、第２レンズ群、第３レンズ群でフォーカシングを行い、第２レンズ群、第３レンズ群の繰り出し量を規定することで、第１レンズ群の枚数が６〜８枚と少なく、広角、高倍率小型軽量、高性能且つ至近距離における変倍比の低下が少ないズームレンズ及びそれを有する撮像装置を提供することができる。
【図面の簡単な説明】
【００１２】
【図１】本発明のズームレンズの概略構成と移動軌跡
【図２】本発明の撮像装置
【図３】実施例１の広角端のレンズ断面図
【図４ａ】実施例１の広角端、物体距離無限での収差図
【図４ｂ】実施例１の望遠端、物体距離無限での収差図
【図４ｃ】実施例１の望遠端、至近距離（０．６ｍ）での収差図
【図５】実施例２の広角端のレンズ断面図である。
【図６ａ】実施例２の広角端、物体距離無限での収差図
【図６ｂ】実施例２の望遠端、物体距離無限での収差図
【図６ｃ】実施例２の望遠端、至近距離（０．６ｍ）での収差図
【図７】実施例３の広角端のレンズ断面図である。
【図８ａ】実施例３の広角端、物体距離無限での収差図
【図８ｂ】実施例３の望遠端、物体距離無限での収差図
【図８ｃ】実施例３の望遠端、至近距離（０．６ｍ）での収差図
【発明を実施するための形態】
【００１３】
以下に、本発明の実施の形態を添付の図面に基づいて詳細に説明する。図１は本発明のズームレンズの構成と、ズーミング及びフォーカシングに伴う各レンズ群の移動軌跡について表している。
【００１４】
物体側から順に、変倍中固定の正の屈折力の第１レンズ群Ｇ1、変倍用の負の屈折力の第２レンズ群Ｇ2、像面補正用の負の屈折力の第３レンズ群Ｇ3、変倍中固定の正の屈折力を有する第４レンズ群Ｇ4から構成されている。尚、ＳＰは絞り、ＩＭＧは撮像面を表している。第２レンズ群Ｇ2、第３レンズ群Ｇ3の物体距離無限遠における移動軌跡を実線で、至近端における移動軌跡を点線で示している。物体距離無限遠から至近端に掛けて、第２レンズ群Ｇ2は像側に繰り出し、第３レンズ群Ｇ3は物体側に繰り出す。繰り出し量は望遠端で最大となる。
【００１５】
次に、上述した各ズームレンズを撮像光学系として用いた撮像装置について説明する。図２は各実施例のズームレンズを撮影光学系として用いた撮像装置（テレビカメラシステム）の要部概略図である。図２において１０１は実施例１〜３のいずれか１つのズームレンズである。
【００１６】
１２４はカメラである。ズームレンズ１０１はカメラ１２４に対して着脱可能になっている。１２５はカメラ１２４にズームレンズ１０１を装着することにより構成される撮像装置である。ズームレンズ１０１は第１レンズ群１１４、変倍及びフォーカシング時に光軸上を移動する第２、第３レンズ群を含む変倍部（兼フォーカス部）１１５、結像用の第４レンズ群１１６を有している。ＳＰは開口絞りである。変倍並びにフォーカシング中に固定の第４レンズ群１１６は、光路中より挿抜可能な変倍光学系ＩＥを有している。
【００１７】
変倍部１１５には、光軸方向に駆動される為の駆動機構が備わっている。１１７、１１８は変倍部１１５及び開口絞りＳＰを電動駆動するモータ等の駆動手段である。１１９、１２０は、変倍部１１５中の各レンズ群の光軸上の位置と、開口絞りＳＰの絞り径を検出する為のエンコーダやポテンショメータ、あるいはフォトセンサ等の検出器である。尚、変倍部１１５中の各レンズ群の駆動軌跡は、ヘリコイドやカムなどの機械的軌跡や、超音波モータなどによる電気的軌跡のどちらであっても構わない。
【００１８】
カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ本体１０１の各種の駆動を制御するＣＰＵである。このように本発明のズームレンズをテレビカメラに適用することにより、高い光学性能を有する撮像装置を実現している。
【００１９】
（実施例１）
以下、本発明の実施例１（数値実施例１）について詳細に説明する。図３は実施例１の広角端、物体距離無限遠におけるレンズ断面図である。物体側から順に、変倍中固定の正の屈折力の第１レンズ群、変倍用の負の屈折力の第２レンズ群Ｇ2、像面補正用の負の屈折力の第３レンズ群Ｇ3、変倍中固定で正の屈折力の第４レンズ群Ｇ4から構成されている。本実施例では、物体距離無限遠から至近端に掛けて第２レンズ群Ｇ2を像側に、第３レンズ群Ｇ3を物体側に繰り出すことによりフォーカシングを行なっている。ＳＰは絞り、Ｐは色分解光学系、ＩＭＧは結像面である。
【００２０】
第２レンズ群の望遠端、至近端における繰り出し量をｄｘ２とし、第２レンズ群の焦点距離をｆ２とするとき、条件式（１）を満足する。
０．０８＜｜ｄｘ２／ｆ２｜＜０．７０      ・・・（１）
条件式（１）は、第２レンズ群の望遠端、至近端における繰り出し量ｄｘ２の範囲を規定するものである。第２レンズ群の繰り出し量を大きく取ると増倍効果が得られ、至近距離における変倍比低下を抑制する事ができる。条件式（１）の上限を上回ると、物体距離無限遠時に対する至近端での変倍比が大きくなり過ぎ、至近距離での収差変動が増大し、補正が困難となる。条件式（１）の下限を下回ると、至近距離における変倍比の低下が顕著になり許容できない。
【００２１】
尚、条件式（１）は、
０．１０＜｜ｄｘ２／ｆ２｜＜０．５２      ・・・（１ａ）
を満足すると更に好ましい。
【００２２】
また、第３レンズ群の望遠端、至近端における繰り出し量をｄｘ３とするとき、条件式（２）を満足する。
−１．５０＜ｄｘ２／ｄｘ３＜−０．０８    ・・・（２）
条件式（２）は、第３レンズ群の望遠端、至近端における繰り出し量ｄｘ３に対する第２レンズ群の望遠端、至近端における繰り出し量ｄｘ２の範囲を規定するものである。条件式（２）の上限を上回ると、至近距離における変倍比の低下が顕著になり許容できない。条件式（２）の下限を下回ると、物体距離変化による収差変動補正に十分な効果を得ることが困難となる。また、第２レンズ群と第３レンズ群の繰り出し量の総和が増大し、繰り出しのためのデッドスペースが増大するため小型軽量化が困難となる。
【００２３】
尚、条件式（２）は、
−０．９０＜ｄｘ３／ｄｘ２＜−０．１２    ・・・（２ａ）
を満足すると更に好ましい。
【００２４】
また、第１レンズ群の焦点距離をｆ１、第２レンズ群の焦点距離をｆ２、第３レンズ群の焦点距離をｆ３とするとき、条件式（３）〜（４）を満足する。
３．０＜|ｆ１／ｆ２|＜６．０    ・・・（３）
０．５＜|ｆ１／ｆ３|＜２．８    ・・・（４）
各レンズ群の屈折力は各レンズ群の焦点距離の逆数で定義される。条件式（３）の上限を上回ると、第２レンズ群の屈折力が第１レンズ群の屈折力に対して相対的に強くなり過ぎ、諸収差の変動が増大し、補正が困難となる。条件式（３）の下限を下回ると、第２レンズ群の屈折力が第１レンズ群の屈折力に対して相対的に弱くなり過ぎ、高倍率化を達成することが困難となる。
【００２５】
条件式（４）の上限を上回ると、第３レンズ群の屈折力が第１レンズ群の屈折力に対して相対的に強くなり過ぎ、球面収差、コマ収差の変動が増大し、補正が困難となる。条件式（４）の下限を下回ると、第３レンズ群の屈折力が第１レンズ群の屈折力に対して相対的に弱くなり過ぎ、像点補正のための移動量が増大し、小型軽量化を達成することが困難となる。
【００２６】
尚、条件式（３）、（４）は、
３．５＜|ｆ１／ｆ２|＜５．５    ・・・（３ａ）
１．２＜|ｆ１／ｆ３|＜１．８    ・・・（４ａ）
を満足すると更に好ましい。
【００２７】
また、第１レンズ群の後側主点位置をＯｋ１‘、第１レンズ群の全長をＤ１とするとき、条件式（５）を満足する。
１＜Ｏｋ１‘／Ｄ１＜０．３  ・・・（５）
尚、第１レンズ群の後側主点位置Ｏｋ１‘は、第１レンズ群最終面の頂点から後側主点位置までの距離とし、物体側から像側を正の方向として定義する。また、第１レンズ群の全長Ｄ１は、第１レンズ群の最も物体側の面の頂点から第１レンズ群最終面の頂点までの長さとする。
【００２８】
条件式（５）の上限を上回ると、第１レンズ群の後側主点位置をより像側に配置するために第１レンズ群内の各レンズの屈折力が増大し、諸収差の変動が増大し、補正が困難となる。条件式（５）の下限を下回ると、広角側における第１レンズ群への軸外光線入射高さが増大し、第１レンズ群の有効径が増大するため、小型軽量化が困難となる。
【００２９】
また、広角端焦点距離をｆｗ、撮像素子の有効径をＩＳとしたとき、条件式（６）を満足する。
０．７＜Ｄ１×ｆｗ／（ｆ１×ＩＳ）＜  １．４  ・・・（６）
条件式（６）の上限を上回ると、第１レンズ群の全長Ｄ１が増大し、小型軽量化が困難となる。条件式（６）の下限を下回ると、第１レンズ群内の各レンズの屈折力が増大し、諸収差の補正が困難となる。
【００３０】
図４aは実施例１の広角端、物体距離無限遠における縦収差図、図４bは望遠端、物体距離無限遠における縦収差図、図４cは望遠端、至近端０．６ｍにおける縦収差図である。球面収差は０．４ｍｍ、非点収差は０．４ｍｍ、歪曲は５％、倍率色収差は、０．０５ｍｍのスケールで描かれている。収差図中にて、軸上色収差図及び倍率色収差図中のｅ線、ｇ線はそれぞれの波長５４６ｎｍ、４３６ｎｍに対する収差である。ΔＳはサジタル、ΔＭはメリディオナルである。図中のＦｎｏはＦナンバー、ωは半画角（°）を示す。
【００３１】
尚、下記数値実施例におけるｒは曲率半径、ｄはレンズ厚またはレンズ間隔、ｎｄは波長５４６nmにおける屈折率、νdはアッベ数を示している。
【００３２】
（数値実施例１）
単位 mm
面データ
面番号       r        d      nd         vd       有効径
1       1336.314    5.30   1.72916    54.7      171.65
2        119.524   44.96                        147.07
3       -583.132    4.80   1.61800    63.3      139.97
4       3217.680    5.85                        140.77
5      -5316.864   17.32   1.43387    95.1      142.60
6       -207.910    1.20                        144.00
7        143.829   29.95   1.43387    95.1      147.17
8       -524.659    0.20                        146.22
9        132.827    4.50   1.80518    25.4      138.15
10        100.278    6.11                        131.37
11        125.980   28.31   1.49700    81.5      131.37
12       -450.179    0.20                        129.45
13        152.316   10.29   1.59240    68.3      116.95
14        429.217  (可変)                        115.00
15         77.487    2.50   2.00330    28.3       42.67
16         21.841    9.82                         33.56
17        -89.033    2.00   2.00330    28.3       33.42
18        122.898    0.20                         33.48
19         39.808    7.90   1.92286    18.9       34.39
20        -74.813    1.57                         33.77
21        -44.124    2.00   1.72916    54.7       33.52
22        107.099  (可変)                         32.19
23        -51.686    2.00   1.78590    44.2       30.56
24         50.553    4.82   1.84666    23.8       33.18
25       1467.999  (可変)                         33.87
26(絞り)    ∞       2.00                         36.16
27        215.545    5.91   1.62041    60.3       38.00
28        -75.689    0.20                         38.80
29         56.115   11.18   1.51633    64.1       39.97
30        -42.364    2.00   1.88300    40.8       39.61
31       -713.352   60.00                         40.24
32        121.648    2.50   1.88300    40.8       48.35
33         52.004   14.54   1.50137    56.4       47.64
34        -50.232   17.22                         47.93
35         65.232   11.83   1.49700    81.5       37.26
36        -40.541    2.00   1.88300    40.8       35.28
37        267.087    0.20                         35.01
38         30.898    6.26   1.62041    60.3       35.20
39         64.599   14.40                         33.75
40          ∞      33.00   1.60859    46.4       40.00
41          ∞      13.20   1.51633    64.2       40.00
42          ∞                                    40.00
像面        ∞   
各種データ
ズーム比     25.00 
焦点距離       7.00    15.68    35.00    91.00   175.00  
Fナンバー      1.70     1.70     1.70     1.70     1.95  
画角          38.16    19.33     8.93     3.46     1.80  
像高           5.50     5.50     5.50     5.50     5.50  
レンズ全長   540.10   540.10   540.10   540.10   540.10  
BF            10.00    10.00    10.00    10.00    10.00  
d14            1.51    50.35    80.50   100.99   108.52  
d22          136.73    83.01    49.22    30.36    31.23  
d25            3.60     8.49    12.12    10.49     2.09  
入射瞳位置   102.43   182.70   329.79   678.17   1093.39  
射出瞳位置   190.29   190.29   190.29   190.29   190.29  
前側主点位置 109.70   199.74   371.59   815.11   1438.26  
後側主点位置   3.00    -5.68   -25.00   -81.00  -165.00  
ズームレンズ群データ
群  始面    焦点距離  レンズ構成長  前側主点位置  後側主点位置
1    1     113.00       159.00       103.53         27.74
2   15     -23.19        25.99         4.93        -12.07
3   23     -68.52         6.82         0.05         -3.66
4   26      93.36       196.44       124.54       -182.58
本実施例の各条件式対応値を表１に示す。
【００３３】
数値実施例１において、いずれの条件式も満足しており、広角端半画角３８．２度、変倍比２５倍を達成している。また、望遠端、至近端０．６ｍにおける変倍比１５倍を達成しており、至近距離における変倍比の低下を抑制している。また、第１レンズ群のレンズ枚数は７枚であり、少ないレンズ枚数で高仕様、高性能を達成している。
【００３４】
（実施例２）
図５は実施例２の広角端、物体距離無限遠におけるレンズ断面図である。物体側から順に、変倍中固定の正の屈折力の第１レンズ群、変倍用の負の屈折力の第２レンズ群Ｇ2、像面補正用の負の屈折力の第３レンズ群Ｇ3、変倍中固定で正の屈折力の第４レンズ群Ｇ4から構成されている。本実施例では、物体距離無限遠から至近に掛けて第２レンズ群Ｇ2を像側に、第３レンズ群Ｇ3を物体側に繰り出すことによりフォーカシングを行なっている。ＳＰは絞り、Ｐは色分解光学系、ＩＭＧは結像面である。
【００３５】
図６aは実施例２の広角端、物体距離無限遠における縦収差図、図６bは望遠端、物体距離無限遠における縦収差図、図６cは望遠端、至近端０．６ｍにおける縦収差図である。
【００３６】
（数値実施例２）
単位 mm
面データ
面番号       r        d      nd         vd       有効径
1      -1229.859    5.10   1.77250    49.6      153.33
2        109.663   43.22                        132.31
3        152.764   30.88   1.49700    81.5      139.60
4       -261.360    0.20                        139.36
5        175.372    4.80   1.72047    34.7      131.14
6        100.939    3.09                        123.89
7        114.277   27.35   1.43875    94.9      123.93
8       -472.027    0.20                        123.22
9        195.140   19.85   1.43875    94.9      118.86
10       -319.130    0.20                        116.68
11        105.961    7.37   1.61800    63.3      101.61
12        173.663  (可変)                        100.25
13         49.640    2.50   2.00330    28.3       41.01
14         19.191   10.60                         31.61
15        -66.386    2.00   2.00330    28.3       31.40
16         95.568    0.20                         31.43
17         37.122    8.26   1.92286    18.9       32.36
18        -52.436    2.29                         31.77
19        -35.245    2.00   1.88300    40.8       29.09
20        179.585  (可変)                         28.29
21        -47.452    2.00   1.78590    44.2       29.66
22         55.031    4.60   1.84666    23.8       32.38
23      -2760.561  (可変)                         33.14
24(絞り)    ∞       2.00                         35.53
25        239.339    6.50   1.62041    60.3       37.40
26        -58.183    0.20                         38.26
27         64.263   10.16   1.48749    70.2       39.07
28        -44.191    2.00   1.88300    40.8       38.73
29       -212.457   65.00                         39.33
30        302.949    2.50   1.88300    40.8       41.84
31         59.143   11.53   1.50137    56.4       41.59
32        -45.113   10.08                         41.94
33         59.046    9.06   1.49700    81.5       36.23
34        -46.000    2.00   1.88300    40.8       35.44
35        343.240    0.20                         35.11
36         31.910    5.31   1.62041    60.3       35.06
37         64.403   14.40                         33.92
38          ∞      33.00   1.60859    46.4       40.00
39          ∞      13.20   1.51633    64.2       40.00
40          ∞                                    40.00
像面        ∞   
各種データ
ズーム比     25.00 
焦点距離       7.00    15.68    35.00    91.00   175.00  
Fナンバー      1.70     1.70     1.70     1.70     2.20  
画角          38.16    19.33     8.93     3.46     1.80  
像高           5.50     5.50     5.50     5.50     5.50  
レンズ全長   494.11   494.11   494.11   494.11   494.11  
BF            10.00    10.00    10.00    10.00    10.00  
d12            1.59    43.95    70.09    87.96    94.54  
d20          115.21    67.67    37.59    21.42    23.75  
d23            3.46     8.65    12.59    10.89     1.97  
入射瞳位置    89.79   160.67   289.18   590.17   946.69  
射出瞳位置   154.89   154.89   154.89   154.89   154.89  
前側主点位置  97.13   178.05   332.63   738.33   1333.06  
後側主点位置   3.00    -5.68   -25.00   -81.00  -165.00  
ズームレンズ群データ
群  始面    焦点距離  レンズ構成長  前側主点位置  後側主点位置
1    1      99.23       142.27        89.73         25.67
2   13     -20.09        27.85         6.69        -11.10
3   21     -66.13         6.60        -0.16         -3.76
4   24     107.61       187.13       151.43       -217.04
本実施例の各条件式対応値を表１に示す。
【００３７】
数値実施例２において、いずれの条件式も満足しており、広角端半画角３８．２度、変倍比２５倍を達成している。また、望遠端、至近端０．６ｍにおける変倍比１１倍を達成しており、至近距離における変倍の低下を抑制している。また、第１レンズ群のレンズ枚数は６枚であり、少ないレンズ枚数で高仕様、高性能を達成している。
【００３８】
（実施例３）
図７は実施例３の広角端、物体距離無限遠におけるレンズ断面図である。物体側から順に、変倍中固定の正の屈折力の第１レンズ群、変倍用の負の屈折力の第２レンズ群Ｇ2、像面補正用の負の屈折力の第３レンズ群Ｇ3、変倍中固定で正の屈折力の第４レンズ群Ｇ4から構成されている。本実施例では、物体距離無限遠から至近に掛けて第２レンズ群Ｇ2を像側に、第３レンズ群Ｇ3を物体側に繰り出すことによりフォーカシングを行なっている。ＳＰは絞り、Ｐは色分解光学系、ＩＭＧは結像面である。
【００３９】
図８aは実施例３の広角端、物体距離無限遠における縦収差図、図８bは望遠端、物体距離無限遠における縦収差図、図８cは望遠端、至近端０．６ｍにおける縦収差図である。
【００４０】
（数値実施例３）
単位 mm
面データ
面番号       r        d      nd         vd       有効径
1        260.064    5.10   1.77250    49.6      179.12
2         90.946   76.11                        145.32
3       -144.175    4.00   1.49700    81.5      133.39
4       2349.392    0.20                        139.78
5        289.127   28.30   1.59240    68.3      143.79
6       -190.861    0.20                        144.28
7        380.277   16.18   1.43387    95.1      139.86
8       -523.891    0.20                        138.61
9        221.343    4.50   1.80518    25.4      131.81
10        130.194    3.81                        126.45
11        160.724   19.13   1.43387    95.1      126.43
12       -731.022    0.20                        125.49
13        256.668   16.51   1.43387    95.1      120.90
14       -318.416    0.20                        120.15
15        115.015   10.36   1.61800    63.3      110.36
16        229.429  (可変)                        108.41
17        115.281    2.00   2.00330    28.3       39.88
18         21.557   11.06                         32.02
19        -79.013    4.53   1.92286    18.9       31.62
20        -38.471    0.70                         31.92
21        -43.717    1.50   1.88300    40.8       30.94
22         70.775    0.40                         31.04
23         42.448    4.94   1.92286    18.9       31.84
24        196.227  (可変)                         31.41
25        -48.469    1.60   1.75500    52.3       28.60
26         46.847    5.05   1.80518    25.4       30.91
27       3761.604  (可変)                         31.72
28(絞り)    ∞       2.00                         40.14
29       1625.521    7.17   1.51633    64.1       41.46
30        -57.614    0.20                         42.61
31       1288.307    5.21   1.51633    64.1       43.44
32       -158.016    1.07                         43.83
33        176.759    8.92   1.49700    81.5       43.93
34        -50.269    2.00   1.88300    40.8       43.76
35       -123.755   68.42                         44.48
36        -83.579    5.70   1.48749    70.2       41.03
37        -51.067    0.53                         41.54
38        868.628    2.00   1.83400    37.2       40.27
39         61.738    7.28   1.50127    56.5       39.49
40       -127.974    0.53                         39.40
41         70.526    9.78   1.49700    81.5       38.36
42        -42.146    2.00   1.88300    40.8       37.45
43       6271.623    0.86                         37.16
44         65.824    8.22   1.51823    58.9       36.89
45        -83.069   14.40                         35.98
46          ∞      33.00   1.60859    46.4       40.00
47          ∞      13.20   1.51633    64.2       40.00
48          ∞                                    40.00
像面        ∞   
各種データ
ズーム比     30.00 
焦点距離       6.00    19.80    63.60   108.00   180.00  
Fナンバー      1.60     1.60     1.60     1.60     2.40  
画角          42.51    15.52     4.94     2.92     1.75  
像高           5.50     5.50     5.50     5.50     5.50  
レンズ全長   555.73   555.73   555.73   555.73   555.73  
BF             9.99     9.99     9.99     9.99     9.99  
d16            2.90    65.04    94.74   102.00   106.32  
d24          120.10    51.09    21.62    20.46    26.90  
d27           13.50    20.37    20.14    14.04     3.29  
入射瞳位置   102.46   202.83   446.16   654.97   929.10  
射出瞳位置   136.91   136.91   136.91   136.91   136.91  
前側主点位置 108.75   225.72   541.63   854.88   1364.38  
後側主点位置   3.99    -9.81   -53.61   -98.01  -170.01  
ズームレンズ群データ
群  始面    焦点距離  レンズ構成長  前側主点位置  後側主点位置
1    1      93.57       185.00       115.34         40.50
2   17     -24.38        25.12         1.69        -17.02
3   25     -68.02         6.65        -0.02         -3.71
4   28     118.63       192.47       177.19       -222.01
本実施例の各条件式対応値を表１に示す。
【００４１】
数値実施例３において、いずれの条件式も満足しており、広角端半画角４２．５度、変倍比３０倍を達成している。また、望遠端、至近端０．６ｍにおける変倍比１１倍を達成しており、至近距離における変倍の低下を抑制している。また、第１レンズ群のレンズ枚数は８枚であり、少ないレンズ枚数で高仕様、高性能を達成している。
【００４２】
以上、本発明の好ましい実施例について説明したが、本発明はこれらの実施例に限定されないことは云うまでもなく、その要旨の範囲内で種々の変形及び変更が可能である。
【００４３】
【表１】
2016024340.tif 000003
【符号の説明】
【００４４】
Ｇ１  第１レンズ群、Ｇ２  第２レンズ群、Ｇ３  第３レンズ群、Ｇ４  第４レンズ群、
ＳＰ  絞り、Ｐ  ガラスブロック、ＩＭＧ  撮像面
【図１】
2016024340.tif 000004
【図２】
2016024340.tif 000005
【図３】
2016024340.tif 000006
【図４ａ】
2016024340.tif 000007
【図４ｂ】
2016024340.tif 000008
【図４ｃ】
2016024340.tif 000009
【図５】
2016024340.tif 000010
【図６ａ】
2016024340.tif 000011
【図６ｂ】
2016024340.tif 000012
【図６ｃ】
2016024340.tif 000013
【図７】
2016024340.tif 000014
【図８ａ】
2016024340.tif 000015
【図８ｂ】
2016024340.tif 000016
【図８ｃ】
2016024340.tif 000017